(57)【要約】      （修正有）【課題】棚家具において箱収納体を自由に回転させることなく、棚での箱収納体の荷を置くものの荷重に耐え、しかも簡単にデザインを替えて、無垢材料を用いて自然観を持たせたであって、高い意匠性の簡易組立回転箱式収納棚を提供する。【解決手段】特に木製板箱収納体を上下の三段に連ねた棚家具において、厚さ２０ｍｍの無垢材の平板から製作された上段木製箱収納体２と中段木製箱収納体３と、下段木製箱収納体４との三種類の箱収納体と、平板の幅方向の中心部の三箇所に穴部を設けて、下段の穴部と中段の穴部との中間部の両端部、並びに中段の穴部と上段の穴部との中間部の両端部に、半円状の掘り込み部を設けた棚側板５と、各箱体が３６０度回転できるように各箱体と棚側板５を軸着させている木製軸棒と、木製軸棒を棚側板に固着できるような多角形の木製ボルト型固着具と、からなる。【選択図】図１
0003201374.tif 000002
【実用新案登録請求の範囲】
【請求項１】
木製板箱収納体を上下の二〜五段に連ねた棚家具において、厚さ１５〜３０ｍｍの無垢材、又は合板の平板から製作された最上段木製箱収納体と中段木製箱収納体と最下段木製箱収納体との二〜五種類の箱収納体と、平板の幅方向の中心部に二〜五箇所の所定の位置の穴部を設けて、最下段の穴部と中段の真上穴部の中間位置の両端部又は片端部と、並びに各中間穴部の中間位置の両端部又は片端部に、並びに中段の穴部と最上段の穴部と中段の真下穴部との中間位置の両端部又は片端部に、半円状の掘り込み部を設けた棚側板と、各箱収納体が３６０度回転できるように各箱収納体と棚側板を軸着させている木製ボルトと、前記木製ボルトを棚側板と箱収納体とを挟んで巻着できるような多角形の木製ナットとのボルトナット型固着具と、からなる木製ボックス型板箱の二〜五段棚であって、当該一列の二〜五段棚を横に二〜六列連なっていることを特徴とする簡易組立回転箱式収納棚。
【請求項２】
木製板箱収納体を上下の二〜五段に連ねた棚家具において、二〜五種の箱収納体は、横３００〜４００ｍｍ、縦１５０〜３００ｍｍ、高さ１５０〜２５０ｍｍの寸法の最上段木製箱収納体と、横３００〜４００ｍｍ、縦２００〜４００ｍｍ、高さ２００〜３００ｍｍの寸法の各中段木製収納箱体と、横３００〜４００ｍｍ、縦２５０〜４５０ｍｍ、高さ３００〜４００ｍｍの寸法の最下段木製箱収納体との二〜五種類の箱収納体と、棚側板は、厚さ２０〜３０ｍｍで、高さ７００〜１８００ｍｍ、幅２５０〜４５０ｍｍで、平板の幅方向の中心部の二〜五箇所に、下端から２６０〜２８０ｍｍの位置で、この位置から２００〜５５０ｍｍの間隔で、最上位に９００〜１６００ｍｍの位置に直径２０〜５０ｍｍ穴部を設けて、最下段の穴部と中段の穴部との中間部の両端部又は片端部、並びに各中段の穴部の間に、並びに中段の穴部と最上段の穴部との中間部の両端部又は片端部に、深さ５０〜１００ｍｍの半円状の掘り込み部を設けた棚側板とであることを特徴とする請求項１に記載の簡易組立回転箱式収納棚。
【請求項３】
木製板箱収納体を上下の二〜五段に連ねた棚家具において、形状の異なった各箱収納体が棚で３６０度回転できるように各箱収納体と棚側板を軸着させている直径２０〜５０ｍｍ、長さ６０〜１００ｍｍの木製ボルトと、木製ナットを棚側板に巻着できるような厚さ２０〜４０ｍｍ、直径２０〜７０ｍｍの多角形の木製ボルトナット型固着具と、からなる木製ボックス型板箱の二〜五段棚であって、棚側板で各箱収納体とを自由に回転と固定ができるように穴部とボルトナット固定具と、箱収納体を固定できるように、差し込みピンと棚側板面に３〜５所の１〜３ｍｍの細穴部を設けていることを特徴とする請求項１、又は請求項２に記載の簡易組立回転箱式収納棚。
【請求項４】
木製板箱収納体を上下の二〜五段に連ねた棚家具において、厚さ１５〜３０ｍｍの無垢材、又は合板の平板から製作された最上段木製箱収納体と、各中段木製箱収納体と、最下段木製箱収納体との二〜五種類の箱収納体と棚側板は、それぞれ木質の材料そのままか、木質の表面に無色、有色の塗料によって塗布されており、木製板箱収納体の二〜五段棚であって、箱収納体を縦、横、斜めの位置にして自由に使用して、箱として、棚として活用できる当該一列の二〜五段棚を横に二〜六列連なっていることを特徴とする簡易組立回転箱式収納棚。
【考案の詳細な説明】
【技術分野】
【０００１】本考案は木製板箱収納体を上下の二〜五段に連ねた棚を、二〜六列に簡単に組み立てた箱収納体棚を形成して、この箱収納体を配列させることにより多彩な展開が簡易に出来るようにして、木製ボックス型中空板箱収納体を簡単に回転させて、棚内の箱収納体を種々配置させることによって自然観をもった意匠性の高い簡易組立回転箱式収納棚に関するものである。
【背景技術】
【０００２】従来より一般的な組立棚は左右両側板および中仕切板を有し、複数段の棚板を等間隔に配し、この棚板などの部材を側板外側よりボルトやビス等の金具をドライバー等の工具を使い、種々の部材の組立と固定によって箱状棚家具が製作されていた。【０００３】基本ボックスあるいは、板材を簡単に組み立てによる家具が製作されていることが提案されている（特許文献１〜２参照）。しかし形状が一定であり、用途も画一的であり、全体的にデザイン性では劣るものであった。
箱体の部材の組み立てにおいて両側板に棚板が水平に取付けられて、棚板は側板の外側面より挿入され内側面へ突出した止め具により支持されている。部材の組み立てにおけるネジなどの止め金具が使用されているが、両側板から棚板の木口に螺合する場合には正確性が必要となってくる。【０００４】棚などの部品を固定する位置が決定されるが、用途に応じ棚を移動しての使用が不可能はできない。組立式棚はそのサイズを超える場合、側板との間に中仕切り板により棚板を支える構造としているが、中仕切り板を取り付けることで、棚板に載置する物品が制約されることになる。棚板を移動可能な方法で両側板の内側面より止め金具を嵌め込み、棚板は止め金具に載って支持されている方法が提案されている（特許文献３〜４参照）。【０００５】一般的に本箱は、室内家具としての調度と室内装飾の一部としての形状等に重点を置いた単体となっており、整理棚を開いた展示棚の裏側に収蔵場所を設け、折りたんでいる。整理棚を複数個保管して、整理棚の底板裏面にキャスター等を設置し負荷の軽減を図り移動を容易にし、かつ、展示書籍の変更に際しては整理棚ごとの入換えを可能にし、本箱内側上部に陳列板の収納可能な空間を設け、陳列スペースを確保し、本箱以外の新たな付加価値を生じさせる家具になることが提案されている（特許文献５参照）。【０００６】前面を開口した直方体の箱体たる基準収納ボックスと、この基準収納ボックスどうしを左右に、基準収納ボックスの幅分間隔をあけて連結させる第１の連結用板材と、前記基準収納ボックスどうしを上下に連結させる第２の連結用板材とからなり、前記基準収納ボックスは、ボックス用天板と、ボックス用底板と、２枚のボックス用側板とを備え、前記ボックス用天板とボックス用底板との左右両側部には、それぞれ連結用板材に係合する係合部が設けられ、上段の基準収納ボックスの底板係合部と下段に位置する基準収納ボックスの天板係合部とが互いに係合するように構成されている家具が提案されている（特許文献６参照）。【０００７】今迄出来なかった下穴付きで素人でも簡単に組立てられ、短辺の二倍の長さの長辺を持つ側板を二枚、側板の半分の寸法の天板および地板により、□字型ワクを、これに天板を加えて日の字の箱を構成し、側板および天板（地板）にあけられた、蝶番用穴、引出し桟穴、棚下地穴、連結下地穴を利用して、盲建具、ガラス入り建具、引出し、棚板等を取り付け、さらに色々なパターンに組み合わせる家具も提案されている（特許文献７参照）。【０００８】家具の箱体の部材を棚に簡単に固定、接合して、組み立て回転させた棚家具は少なく、またこの家具、及びその部材の組み合わせによって所望のデザイン性の家具を簡単に、容易に組み合わせ、種々物品を収納できる箱体を回転させる家具は見当たらない。
【先行技術文献】
【特許文献】
【０００９】
【特許文献１】実用新案登録３０９９７３０号公報
【特許文献２】実用新案登録３１３３０３８号公報
【特許文献３】実開平０５−１５８４９号公報
【特許文献４】特開２００７−１１７２３２号公報
【特許文献５】特開２００７−２０９５６８号公報
【特許文献６】特開２００５−２３７６７１号公報
【特許文献７】特開２０１１−５２１５号公報
【考案の概要】
【考案が解決しようとする課題】
【０００７】このように、従来の組立て式木製箱体棚には上記のごとき問題があった。本考案が解決しようとする課題であり、棚家具において箱収納体を自由に回転させることなく、棚での箱収納体の荷を置くものの荷重に耐え、しかも簡単にデザインを替えて、無垢材料を用いて自然観を持たせたであって、高い意匠性の簡易組立回転箱式収納棚を提供する。【０００８】上記した近年提案の組立の家具は、それの占有スペースを少なくして、小さいスペースでの使用に好適であるけれども、実使用に際しては箱収納体の回転のために多種の家具全体としてのバリエーションには自ずと限界があった。この家具、及びその部材の組み合わせによって所望のデザイン性の家具を簡単に、回転位置を容易に変えて、箱収納体を配置され、組み立てられる家具は見当たらない。【０００９】本考案は上記実情に鑑みてなされたもので、ワンルームマンションなど小さいスペース部屋での使用に好適であるとともに、工具を使用しない簡単な操作で任意の状態に容易に箱収納体を回転させた家具に組み立てて用いることができ、しかも、全体のバリエーションに多様性を持たせることができる簡易組立回転箱式収納棚を提供することを目的としている。
【課題を解決するための手段】
【００１０】木製板箱収納体を上下の二〜五段に連ねた棚家具において、厚さ１５〜３０ｍｍの無垢材、又は合板の平板から製作された最上段木製箱収納体と中段木製箱収納体と最下段木製箱収納体との二〜五種類の箱収納体と、平板の幅方向の中心部に二〜五箇所の所定の位置の穴部を設けて、最下段の穴部と中段の真上穴部の中間位置の両端部又は片端部と、並びに各中間穴部の中間位置の両端部又は片端部に、並びに中段の穴部と最上段の穴部と中段の真下穴部との中間位置の両端部又は片端部に、半円状の掘り込み部を設けた棚側板と、各箱収納体が３６０度回転できるように各箱収納体と棚側板を軸着させている木製ボルトと、前記木製ボルトを棚側板と箱収納体とを挟んで巻着できるような多角形の木製ナットとのボルトナッツ型固着具と、からなる木製ボックス型板箱の二〜五段棚であって、当該一列の二〜五段棚を横に二〜六列連なっている簡易組立回転箱式収納棚である。【００１１】木製板箱収納体を上下の二〜五段に連ねた棚家具において、二〜五種の箱収納体は、横３００〜４００ｍｍ、縦１５０〜３００ｍｍ、高さ１５０〜２５０ｍｍの寸法の最上段木製箱収納体と、横３００〜４００ｍｍ、縦２００〜４００ｍｍ、高さ２００〜３００ｍｍの寸法の各中段木製収納箱体と、横３００〜４００ｍｍ、縦２５０〜４５０ｍｍ、高さ３００〜４００ｍｍの寸法の最下段木製箱収納体との二〜五種類の箱収納体と、棚側板は、厚さ２０〜３０ｍｍで、高さ７００〜１８００ｍｍ、幅２５０〜４５０ｍｍで、平板の幅方向の中心部の二〜五箇所に、下端から２６０〜２８０ｍｍの位置で、この位置から２００〜５５０ｍｍの間隔で、最上位に９００〜１６００ｍｍの位置に直径２０〜５０ｍｍ穴部を設けて、最下段の穴部と中段の穴部との中間部の両端部又は片端部、並びに各中段の穴部の間に、並びに中段の穴部と最上段の穴部との中間部の両端部又は片端部に、深さ５０〜１００ｍｍの半円状の掘り込み部を設けた棚側板とであることを特徴とする請求項１に記載の簡易組立回転箱式収納棚。【００１２】木製板箱収納体を上下の二〜五段に連ねた棚家具において、形状の異なった各箱収納体が棚で３６０度回転できるように各箱収納体と棚側板を軸着させている直径２０〜５０ｍｍ、長さ６０〜１００ｍｍの木製ボルトと、木製ナットを棚側板に巻着できるような厚さ２０〜４０ｍｍ、直径２０〜７０ｍｍの多角形の木製ボルトナット型固着具と、からなる木製ボックス型板箱の二〜五段棚であって、棚側板で各箱収納体とを自由に回転と固定ができるように穴部とボルトナット固定具と、箱収納体を固定できるように、差し込みピンと棚側板面に３〜５所の１〜３ｍｍの細穴部を設けている。【００１３】木製板箱収納体を上下の二〜五段に連ねた棚家具において、厚さ１５〜３０ｍｍの無垢材、又は合板の平板から製作された最上段木製箱収納体と、各中段木製箱収納体と、最下段木製箱収納体との二〜五種類の箱収納体と棚側板は、それぞれ木質の材料そのままか、木質の表面に無色、有色の塗料によって塗布されており、木製板箱収納体の二〜五段棚であって、箱収納体を縦、横、斜めの位置にして自由に使用して、箱として、棚として活用できる当該一列の二〜五段棚を横に二〜六列連なっている。
【考案の効果】
【００１４】本考案は単一の木製ボックス型中空板箱を板材の組合せによる多彩な形状の箱体の組み立てができることにより、様々な用途に対応できる多様性が特徴である。また、天板との組み合せることで、履物入れ、食器入れ、小物入れタンス、などの展開が広がり幅広い用途に対応できる。多目的木製箱収納体を、種々の回転状態で使用することができて、デザイン的に種々に変更をもたらすことができた。【００１５】箱収納体の回転・組み立ては、収納物を表面に出すか、内部に収納して隠した状態することができて、便利に使用ができた。また取り出しにも箱収納体が回転できるので、容易に可能であった。箱収納体に取り付けている回転棒の挿入、接合で簡単に組み合わせる事が出来、女性やお年寄りでも簡単に使用することが出来る。【００１６】本考案に係る木製簡易組立回転箱式収納棚は、箱収納体を数個列、段に組み合わせた構造にした自然観の高い木製ボックス型板箱であり、この部材組み立ての木製ボックス型中空板箱を数個の箱体において自由に組み合せて、デザインを損なわない状態で、加重に十分耐えることができ、側板の撓みも抑制された。
また高い意匠性が得られる木製簡易組立回転箱式収納棚を提供できる。
【図面の簡単な説明】
【００１７】
【図１】木製簡易組立回転箱式収納棚（三列）の斜視図
【図２】簡易組立回転箱式収納棚における箱収納体の図  Ａ：木製箱収納体の平面図  Ｂ：木製箱収納体の正面図  Ｃ：木製箱収納体の側面図  Ｄ：木製箱収納体の斜視図
【図３】棚側板の状態図  Ａ：平面図  Ｂ：側面図
【図４】木製簡易組立回転箱式収納棚（五列）使用の斜視図
【図５】木製簡易組立回転箱式収納棚の使用状態の斜視図
【図６】木製のボルトーナット接続具の図  Ａ：木製ボルト図  Ｂ：木製ナット
【考案を実施するための形態】
【００１８】木製板箱収納体を上下の二〜五段に連ねた棚家具において、厚さ１５〜３０ｍｍの無垢材、又は合板の平板から製作された最上段木製箱収納体と中段木製箱収納体と最下段木製箱収納体との二〜五種類の箱収納体と、平板の幅方向の中心部に二〜五箇所の所定の位置の穴部を設けて、最下段の穴部と中段の真上穴部の中間位置の両端部又は片側部と、並びに各中間穴部の中間位置の両端部に、並びに中段の穴部と最上段の穴部と中段の真下穴部との中間位置の両端部又は片側部に、半円状の掘り込み部を設けた棚側板と、各箱収納体が３６０度回転できるように各箱収納体と棚側板を軸着させている木製ボルトナット接着具と、木製軸棒を棚側板に固着できるような多角形の木製ボルト型固着具と、からなる木製ボックス型板箱の二〜五段棚であって、当該一列の二〜五段棚を横に二〜六列連なっている簡易組立回転箱式収納棚であるが、以下具体的な例を示す。
【００１８】本考案では、特に木製板箱収納体を上下の三段に連ねた棚家具において、厚さ２０ｍｍの無垢材の平板から製作された上段木製箱収納体と中段木製箱収納体と、下段木製箱収納体との三種類の箱収納体と、平板の幅方向の中心部の三箇所に穴部を設けて、下段の穴部と中段の穴部との中間部の両端部、並びに中段の穴部と上段の穴部との中間部の両端部に、半円状の掘り込み部を設けた棚側板と、各箱体が３６０度回転できるように各箱体と棚側板を軸着させている木製軸棒と、木製軸棒を棚側板に固着できるような多角形の木製ボルト型固着具と、からなる木製ボックス型板箱の三段棚であって、当該一列の三段棚を横に三列連なっているものを具体的に示す。
【実施例１】
【００１９】図１に示すように木製板箱体を上下の三段に連ねた棚家具において、三種の箱体と棚側板は、厚さ２０ｍｍの無垢材であって、図２に示すように横３５０ｍｍ、縦１６０ｍｍ、高さ（奥行き）２００ｍｍの寸法の上段木製箱体と、横３５０ｍｍ、縦２２０ｍｍ、高さ（奥行き）２００ｍｍの寸法の中段木製箱体と、横３５０ｍｍ、縦３２０ｍｍ、高さ（奥行き）３００ｍｍの寸法の下段木製箱体との三種類の箱収納体と、厚さ２０ｍｍで、高さ１２００ｍｍ、幅３００ｍｍで、平板の幅方向の中心部の三箇所に、下端から２８０ｍｍの位置、７３０ｍｍの位置、１１００ｍｍの位置に直径４０ｍｍ穴部を設けて、下段の穴部と中段の穴部との中間部の両端部、並びに中段の穴部と上段の穴部との中間部の両端部に、深さ５０ｍｍの半円状の掘り込み部を設けた棚側板であった。【００２０】木製板箱体を上下の三段に連ねた棚家具において、形状の異なった各箱収納体が棚で３６０度回転できるように各箱収納体と棚側板を軸着させている、図６に示すように直径３０ｍｍ、長さ８０ｍｍの木製ボルトと、木製ボルトを棚側板に固着できるような厚さ３０ｍｍ、直径１００ｍｍの多角形の木製ナット型固着具と、からなる木製ボックス型板箱の三段棚であって、棚側板で各箱体とを自由に回転と固定ができるようにした。【００２１】木製板箱体を上下の三段に連ねた棚において、厚さ２０ｍｍの無垢材の平板から製作された上段木製箱体と、中段木製箱体と、下段木製箱体との三種類の箱体と棚側板は、木質の表面に無色の塗料によって塗布されており、木製板箱体の三段棚であって、箱収納体を縦、横、斜めの位置にして自由に使用して、箱として、棚として活用できる当該一列の三段棚を横に３列を横に連なった。
【実施例２】
【００２２】図４に示すように木製板箱体を上下の三段に連ねた棚家具において、三種の箱体と棚側板は、厚さ２０ｍｍの無垢材であって、図２に示すように横３５０ｍｍ、縦１６０ｍｍ、高さ（奥行き）２００ｍｍの寸法の上段木製箱体と、横３５０ｍｍ、縦２２０ｍｍ、高さ（奥行き）２００ｍｍの寸法の中段木製箱体と、横３５０ｍｍ、縦３２０ｍｍ、高さ（奥行き）３００ｍｍの寸法の下段木製箱体との三種類の箱収納体と、厚さ２０ｍｍで、高さ１２００ｍｍ、幅３００ｍｍで、平板の幅方向の中心部の三箇所に、下端から２８０ｍｍの位置、７３０ｍｍの位置、１１００ｍｍの位置に直径４０ｍｍ穴部を設けて、下段の穴部と中段の穴部との中間部の両端部、並びに中段の穴部と上段の穴部との中間部の両端部に、深さ６０ｍｍの半円状の掘り込み部を設けた棚側板であった。【００２３】木製板箱体を上下の三段に連ねた棚家具において、形状の異なった各箱収納体が棚で３６０度回転できるように各箱収納体と棚側板を軸着させている、図６に示すような直径３５ｍｍ、長さ８０ｍｍの木製ボルトと、木製ボルトを棚側板に固着できるような厚さ３５ｍｍ、直径６０ｍｍの多角形の木製ナット型固着具と、からなる木製ボックス型板箱の三段棚であって、棚側板で各箱体とを自由に回転と固定ができるようにした。【００２４】木製板箱体を上下の三段に連ねた棚において、厚さ２０ｍｍの無垢材の平板から製作された上段木製箱体と、中段木製箱体と、下段木製箱体との三種類の箱体と棚側板は、木質の表面に無色の塗料によって塗布されており、木製板箱体の三段棚であって、箱収納体を縦、横、斜めの位置にして自由に使用して、箱として、棚として活用できる当該一列の三段棚を横に四列を横に連なった。実際に活用したものは図５に示した。デザイン的に好まれて、種々な用途に使用された。
【符号の説明】
【００２５】  １．箱収納体
２．上段木製箱収納体
３．中段木製箱収納体
４．下段木製箱収納体
５．棚側板
６．穴部
７．細穴部
８．ピン棒
９．木製ボルト
１０．木製ナット
１１．木製ボルトナット固着具
１２．側板の切込み部
【図１】
0003201374.tif 000003
【図２】
0003201374.tif 000004
【図３】
0003201374.tif 000005
【図４】
0003201374.tif 000006
【図５】
0003201374.tif 000007
【図６】
0003201374.tif 000008
【手続補正書】
【提出日】平成27年7月24日(2015.7.24)
【手続補正１】
【補正対象書類名】実用新案登録請求の範囲
【補正対象項目名】全文
【補正方法】変更
【補正の内容】
【実用新案登録請求の範囲】
【請求項１】
木製板箱収納体を上下の二〜五段に連ねた棚家具において、厚さ１５〜３０ｍｍの無垢材、又は合板の平板から製作された最上段木製箱収納体と中段木製箱収納体と最下段木製箱収納体との二〜五種類の箱収納体と、平板の幅方向の中心部に二〜五箇所の所定の位置の穴部を設けて、最下段の穴部と中段の真上穴部の中間位置における両端部又は片端部と、並びに各中間穴部の中間位置における両端部又は片端部に、並びに最上段の穴部と中段の真下穴部との中間位置における両端部又は片端部に半円状の掘り込み部を設けた棚側板と、各箱収納体を３６０度回転できるように棚側板を軸着させている木製ボルトと前記木製ボルトを棚側板と箱収納体とを挟んで巻着できる多角形の木製ナットとになっているボルトナット型固着具と、からなる木製ボックス型板箱の二〜五段棚であって、一列の二〜五段棚を横に二〜六列連なっていることを特徴とする簡易組立回転箱式収納棚。
【請求項２】
木製板箱収納体を上下の二〜五段に連ねた棚家具において、二〜五種の箱収納体は、横３００〜４００ｍｍ、縦１５０〜３００ｍｍ、高さ１５０〜２５０ｍｍの寸法の最上段木製箱収納体と、横３００〜４００ｍｍ、縦２００〜４００ｍｍ、高さ２００〜３００ｍｍの寸法の各中段木製収納箱体と、横３００〜４００ｍｍ、縦２５０〜４５０ｍｍ、高さ３００〜４００ｍｍの寸法の最下段木製箱収納体との二〜五種類の箱収納体と、棚側板は、厚さ２０〜３０ｍｍで、高さ７００〜１８００ｍｍ、幅２５０〜４５０ｍｍで、平板の幅方向の中心部の二〜五箇所に、下端から２６０〜２８０ｍｍの位置で、この位置から２００〜５５０ｍｍの間隔で、最上位に９００〜１６００ｍｍの位置に直径２０〜５０ｍｍ穴部を設けて、最下段の穴部と中段の穴部との中間部の両端部又は片端部、並びに各中段の穴部の間に、並びに中段の穴部と最上段の穴部との中間部の両端部又は片端部に、深さ５０〜１００ｍｍの半円状の掘り込み部を設けた棚側板とであることを特徴とする請求項１に記載の簡易組立回転箱式収納棚。
【請求項３】
木製板箱収納体を上下の二〜五段に連ねた棚家具において、形状の異なった各箱収納体が棚で３６０度回転できるように各箱収納体と棚側板を軸着させている直径２０〜５０ｍｍ、長さ６０〜１００ｍｍの木製ボルトと、木製ナットを棚側板に巻着できるような厚さ２０〜４０ｍｍ、直径２０〜７０ｍｍの多角形の木製ボルトナット型固着具と、からなる木製ボックス型板箱の二〜五段棚であって、棚側板で各箱収納体とを自由に回転と固定ができるように穴部とボルトナット固定具となり、箱収納体を固定できるように、差し込みピンと棚側板面に３〜５所の１〜３ｍｍの細穴部とを設けていることを特徴とする請求項１、又は請求項２に記載の簡易組立回転箱式収納棚。
【請求項４】
木製板箱収納体を上下の二〜五段、横に二〜六列に連ねた棚家具において、厚さ１５〜３０ｍｍの無垢材、又は合板の平板から製作された、最上段木製箱収納体と、各中段木製箱収納体と、最下段木製箱収納体との二〜五種類の箱収納体、及び棚側板は、それぞれ木質の材料そのままか、或は木質の表面に無色、有色の塗料によって塗布されている板材になっていることを特徴とする請求項１〜請求項３のいずれかに記載の簡易組立回転箱式収納棚。